(57)【特許請求の範囲】
【請求項１】
Ａ．息を吹き込むマウスピースと、
Ｂ．このマウスピースの息が吹き出される吹出口側に設けられ、息の吹出口を弾性的に塞ぐ弾性弁と、
Ｃ．この弾性弁に被着形成され、上記弾性弁が息圧に対応して折曲変形するに従って息圧に対応した電気信号を発信する息圧センサと、
Ｄ．上記弾性弁と一体に形成され、上記マウスピースの息吹込口側に延長されて、上記マウスピースに与えられる噛む力に対応した電気信号を発信する感圧センサと、
によって構成したことを特徴とするマウスコントローラ。
【請求項２】
請求項１記載のマウスコントローラにおいて、上記息圧センサと感圧センサは共通の弾性を持つ弾性シート部材に形成した構造としたことを特徴とするマウスコントローラ。
【発明の詳細な説明】
【０００１】
【発明の属する技術分野】
この発明は例えば電子式管楽器に用いて好適なマウスコントローラに関する。
【０００２】
【従来の技術】
従来より電子式管楽器はマウスピース（吹口）の部分に息圧センサと噛む力を検出する感圧センサとを装着し、演奏者の息圧と噛む力を検出し、息圧の検出信号によって電子式管楽器の音の音量を制御し、噛む力の検出信号によって発音する音の音程或いは音色等を変化させる等の制御を行わせ、演奏表現を付加できるようにしている。
【０００３】
図３は実用新案登録公報第２５０６７１９号に開示された電子管楽器用リードセンサの構成を示す。この公報に記載されたマウスコントローラはマウスピース２の下面に装着した噛む力を検出するリードセンサ１と、マウスピース２に吹き込まれる息圧を検出する息圧センサ３とを具備し、リードセンサ１と息圧センサ３で検出した検出信号を管本体４の内部に装着した回路基板５に入力し、回路基板５で管楽器の音となる楽音を息圧センサ３の検出信号の有無に対応させて発生させると共に、その息圧センサ３の検出信号の大小に対応させて、その信号のレベルを制御し、スピーカ６から放音する音の音量を制御すると共に、リードセンサ１で検出した噛む力に対応して音の音程等を制御し、トレモロ或いはビブラート等の演奏表現を付加できる構成としている。
【０００４】
【発明が解決しようとする課題】
図３に示したマウスコントローラは息圧センサ３とリードセンサ１が別々に構成され、部品数が多くなりコスト高となる不都合がある。しかも息圧センサ３はマウスピース２と連通する密封された容器内に形成され、息を吹き抜くことができない構造となっている。
【０００５】
従って、演奏者は普通の管楽器のように息を吹き込んで演奏する状態と異なるため、息苦しく演奏し難い欠点もある。
この発明の目的はセンサに要する部品数を少なくし、コストを安価にすることができ、しかも息を吹き抜くことができ、従って演奏が一般の管楽器と何等変わることなく演奏することができる電子楽器用のマウスコントローラを提供しようとするものである。
【０００６】
【課題を解決するための手段】
この発明では管状のマウスピースの息の吹出口側に、息の排出口を弾性的に塞ぐ弾性弁を設け、この弁を息の吹込量に対応させて折曲変形させる構成とし、その弾性弁に折曲変形量に対応させて電気信号を発信する、息圧センサを被着形成する。
【０００７】
更に、弾性弁を構成する弾性シート部材をマウスピースの息吹込口側に延長し、この延長部分に感圧センサを被着形成してマウスコントローラを構成する。
この発明の構成によれば、マウスピースに吹き込んだ息は、その吹込量に対応して弾性弁を折曲変形させた後、マウスピースの吹出口側から排気される。息の吹込量に対応して折り曲げられた弁には折曲量に対応した電気信号を発信するセンサが被着形成されていることから、この電気信号を利用して楽器音の音量を制御することができる。
【０００８】
更にマウスピースの吹込口側に感圧センサを装着したから、マウスピースを噛む力を電気信号に変換することができる。この電気信号により楽器音の例えば周波数或いは音色等を制御することにより、普通の楽器音と同等の演奏表現を実現することができる。
【０００９】
【発明の実施の形態】
図１及び図２にこの発明によるマウスコントローラの一実施例を示す。図中２は管状のマウスピースを示す。マウスピース２は吹込口２Ａと吹出口２Ｂとを具備し、吹出口２Ｂ側にこの吹出口２Ｂを弾性的に塞ぐ弾性弁１１を設ける。弾性弁１１は図２に示すような形状の弾性を具備した樹脂シート１２によって構成することができる。
【００１０】
樹脂シート１２はマウスピース２に形成したスリット１３を通じてマウスピース２の外周面に導出し、その導出した端部を吹込口２Ａの近くのマウスピース２の外周面に当接させ、抑え片１４によってマウスピース２の外周面に抑え付け、樹脂シート１２を片持梁構造で支持して弾性弁１１を弾性的に支持する。抑え片１４はこの例ではネジ１５によってマウスピース２に装着し、抑え片１４の端部で樹脂シート１２を抑え付ける。
【００１１】
樹脂シート１２には、この例では息の吹込口２Ａ側に配置される樹脂シート１２の弾性片１１側とその反対側に例えば感圧材料で形成したインクを例えばシルクスクリーン印刷法等でインク層１６Ａと１６Ｂとして被着形成する。このインク層１６Ａと１６Ｂの下面には細条電極１７が形成され、この細条電極１７に接触してインク層１６Ａと１６Ｂが被着形成される。この細条電極１７の間の抵抗値を測定することにより、インク層１６Ａと１６Ｂの抵抗値の変化を知ることができる。細条電極１７にはリード線１８が接続され、このリード線１８を通じて楽器音発生装置の回路に接続される。
【００１２】
上述の構成によれば、吹込口２Ａから息を吹き込むと、息は弾性弁１１をその吹込量に対応する折曲量で弾性弁１１を折り曲げる。この折曲量に対応してインク層１６Ａが図１に示す例では圧縮変形され、この圧縮変形によってインク層１６Ａの抵抗値が小さくなる方向に制御される。この抵抗値変化は息の吹込量に反比例して小さくなり、その抵抗変化により楽器発生音の音量を制御することにより、息を強く吹くと音量を上げ、弱く吹くと音量が下がるように制御することができる。
【００１３】
一方、吹込口２Ａ側のマウスピース２を噛むと、樹脂シート１２に形成したインク層１６Ｂは抑え片１４を介して噛む力が与えられ、インク層１６Ｂは抵抗値が大きくなる方向に変化する。この抵抗変化により楽器音の発生周波数をわずかに高める方向に制御したり、音色を制御する等してトレモロ或いはビブラート等の演奏表現を付加することができる。
【００１４】
なお、図１に示した実施例ではマウスピース２の部分だけを示したが、このマウスピース２を管楽器を模した管体に連結して電子式管楽器を構成することができることは容易に理解できよう。
【００１５】
【発明の効果】
以上説明したように、この発明によれば共通の樹脂シート１２にインク層１６Ａと１６Ｂを形成し、一方のインク層１６Ａを息圧センサとし、他方のインク層１６Ｂを噛む力を検出する感圧センサとしたから、１枚の樹脂シート１２で２つのセンサを構成することができる。この結果、部品点数を少なくでき、構造を簡素化できることからコストダウンが期待できる。
【００１６】
更に、この発明では息を吹き込むと、その息は吹出口２Ｂから排気されるから普通の管楽器と同様の奏法で電子管楽器の音を制御することができる。この結果息苦しくなることなく電子管楽器を演奏することができる利点が得られる。
【図面の簡単な説明】
【図１】この発明によるマウスコントローラの一例を説明するための断面図。
【図２】図１に示した実施例に用いた弾性弁と各センサの実施例を示す平面図。
【図３】従来の技術を説明するための側面図。
【符号の説明】
２    マウスピース
２Ａ    吹込口
２Ｂ    吹出口
１１    弾性弁
１２    樹脂シート
１６Ａ    息圧センサを構成するインク層
１６Ｂ    噛む力を検出する感圧センサを構成するインク層
【図１】
0003871431.tif 000002
【図２】
0003871431.tif 000003
【図３】
0003871431.tif 000004